(57)【特許請求の範囲】
【請求項１】
楽器本体と、軟質材からなり前記楽器本体の被打撃部上面を覆うパッドと、前記楽器本体の振動を電気信号に変換するセンサと、前記楽器本体と前記パッドとの間に介在され演奏音を切り替えるスイッチとを備えた電子打楽器において、
前記パッドの外周部は前記スイッチを覆う被覆部を形成し、この被覆部は上面が上方に凸となる曲面に形成され、前記被覆部の下面側に前記スイッチを押圧する押圧面を形成し、この押圧面はスイッチに向かって凸曲面に形成され前記被覆部の斜めや横方向からの打撃によって弾性変形することを特徴とする電子打楽器。
【請求項２】
請求項１記載の電子打楽器において、
楽器本体がシンバルであることを特徴とする電子打楽器。
【請求項３】
請求項１または２記載の電子打楽器において、
前記押圧面の両側に溝を設けたことを特徴とする電子打楽器。
【発明の詳細な説明】
【０００１】
【発明の属する技術分野】
本発明は、電子ドラム、電子シンバル等の電子打楽器に関するものである。
【０００２】
【従来の技術】
電子シンバルは、シンバルをスティックで打撃し、その振動を電気信号に変換し、この電気信号を音に変換してスピーカまたはヘッドホンから発音させるようにしている（実公平４−３３５８号公報等）。この種の電子シンバルに要求される性能としては、▲１▼どの部分を打撃しても感度が均一であること、▲２▼打撃による振動がいわゆる暴れることなく綺麗な形で減衰すること、▲３▼打撃音が低いこと等が要求される。そのため、シンバルとしては、一般に５ｍｍ程度の板厚を有するプラスチィック製の平板もしくは自然楽器のシンバルと同様に上面が緩やかな凸曲面となるように形成され、被打撃部に打撃音を小さくするためのゴム等からなるパッドを接着し、裏面側にシンバルの振動を電気信号に変換する圧電素子等のセンサを取付けている。
【０００３】
また、このような電子シンバルにおいては、自然楽器のシンバルと同様なリムショット奏法（通常演奏）とカップ奏法による演奏を可能にするためにシンバルにパッド部とリム部を設け、リム部を打撃することにより通常演奏音を発音させ、パッド部を打撃することによりカップ音を発音させるようにしたものが知られている。
【０００４】
図２〜図４はこのような電子シンバルの従来例を示すもので、図２は平面図、図３は要部の拡大断面図、図４はスイッチの断面図である。この電子シンバル１は、上方に開放する皿状の楽器本体２と、この楽器本体２の上面開口部を覆う膜３と、パッド部Ａの振動を電気信号に変換するセンサ４およびリム部Ｂの打撃により音を発生させるスイッチ５とを備えている。膜３は、金属、木材または合成樹脂等によって円板状に形成された振動板６と、ブチルゴム等の軟質材によって形成され前記振動板６の上面および前記スイッチ５を覆うパッド７とで構成され、中央部がパッド部Ａを形成し、外周部がリム部Ｂを形成している。振動板６の下面側には前記センサ４が取付けられている。
【０００５】
スイッチ５は、図４に示すように互いに近接して対向する２枚の可撓性シート８Ａ，８Ｂと、両シート８Ａ，８Ｂ間に介在されたスペーサ９と、各シート８Ａ，８Ｂの対向面に設けられた固定接点１０および可動接点１１とからなり、楽器本体２の外周に一体に設けた膜取付部１２の上面に固定され、パッド７の外周部によって覆われている。パッド７は、振動板６より大きな円板状に形成され、外周部が前記スイッチ５を覆う被覆部７Ａを形成している。被覆部７Ａの上面は、上方に凸となる曲面に形成されることによりパッド部Ａとリム部Ｂを明確に仕切り、下面側には環状突起からなるスイッチ押圧部１３と２つの環状溝１４，１４が設けられている。スイッチ押圧部１３のスイッチ５を押圧するスイッチ押圧面１３ａは、平らな面に形成されている。また、被覆部７Ａの外周には下面側に折り返された折返部１６が一体に延設されており、この折返部１６と被覆部７Ａとで環状の溝１７を形成している。この溝１７には、前記膜取付部１２が嵌合され接着剤によって固定されている。
【０００６】
このような構造からなる電子シンバル１において、通常はパッド部Ａをスティックによって打撃し、演奏音を切り替えるときにリム部Ｂを打撃する。リム部Ｂを打撃すると、パッド７の被覆部７Ａが弾性変形してスイッチ押圧部１３が上側のシート８Ｂを押し下げる。このため、可動接点１１が固定接点１０に接触してスイッチ５が動作し、リムショット音を発音させることができる。
【０００７】
【発明が解決しようとする課題】
上記した従来の電子シンバル１においては、膜３の中央部をパッド部Ａ、外周部をリム部Ｂとし、スイッチ５を覆うパッド部７Ａの下面側にスイッチ５を押圧するスイッチ押圧部１３を一体に設け、被覆部７Ａがスティックによって打撃されたときのスイッチ押圧部１３の弾性変形量をスイッチ５を動作させるためのストロークとしている。しかしながら、スイッチ押圧部１３のスイッチ押圧面１３ａを平らな面に形成しているため、スティックによる打撃方向によってはスイッチ５を動作させることができないという問題があった。すなわち、真上からの打撃に対してはスイッチ押圧部１３の変形量が大きいため、言い換えればスイッチ５を動作させるに十分なストロークが得られるため何等問題はないが、斜めや横方向からの打撃に対しては打撃力が分散されてしまうため十分なストロークが得られず、スイッチ５を動作させることができない。
【０００８】
本発明は上記した従来の問題点を解決するためになされたもので、その目的とするところは、スティックによる打撃方向に関係なくスイッチを確実に動作させることができるようにした電子打楽器を提供することにある。
【０００９】
【課題を解決するための手段】
上記目的を達成するために本発明は、楽器本体と、軟質材からなり前記楽器本体の被打撃部上面を覆うパッドと、前記楽器本体の振動を電気信号に変換するセンサと、前記楽器本体と前記パッドとの間に介在され演奏音を切り替えるスイッチとを備えた電子打楽器において、前記パッドの外周部は前記スイッチを覆う被覆部を形成し、この被覆部は上面が上方に凸となる曲面に形成され、前記被覆部の下面側に前記スイッチを押圧する押圧面を形成し、この押圧面はスイッチに向かって凸曲面に形成され前記被覆部の斜めや横方向からの打撃によって弾性変形することを特徴とする。
また、本発明は、楽器本体がシンバルであることを特徴とする。
さらに、本発明は、前記押圧面の両側に溝を設けたことを特徴とする。
【００１０】
本発明において、パッドのスイッチ押圧部は、スイッチ側に凸曲面となるスイッチ押圧面を有しているので、どの方向から打撃されても力を分散させることがなく弾性変形してスイッチを動作させる。溝はスイッチ押圧部を明確に仕切りスイッチ押圧部の弾性変形を容易にする。
【００１１】
【発明の実施の形態】
以下、本発明を図面に示す実施の形態に基づいて詳細に説明する。
図１は本発明を電子シンバルに適用した一実施の形態を示す要部の断面図である。なお、従来技術の欄で示した構成部材等と同一のものについては同一符号をもって示し、その説明を適宜省略する。電子シンバルの上面を形成する膜３は、振動板６と、この振動板６の上面を覆うブチルゴム等の軟質材からなるパッド７とで構成されている。パッド７の外周部はスイッチ５を覆う被覆部７Ａを形成し、この被覆部７Ａの下面側にスイッチ６を押圧するスイッチ押圧部１３を一体に突設している。スイッチ押圧部１３は径方向の内外両側に環状の溝１４，１４を形成することにより環状の突状体とし、スイッチ押圧面１３ａがスイッチ５に向かって凸となる曲面に形成されている。その他の構成は上記した従来の電子ドラムと同一である。
【００１２】
このような構造からなる電子シンバルにおいて、通常演奏時は膜３のパッド部Ａをスティックによって打撃することにより発音させ、パッド７の被覆部７Ａを打撃してスイッチ５を動作させる。被覆部７Ａが打撃されると、スイッチ押圧部１３は圧縮されてスイッチ押圧面１３ａがスイッチ５を押圧し、可動接点１１（図４参照）を固定接点１０に押し付ける。これによりスイッチ５が動作する。
この場合、本発明においては、スイッチ押圧部１３のスイッチ押圧面１３ａを凸曲面に形成してスイッチ５との接触面積を従来の平らな面からなるスイッチ押圧面に比べて小さくしているので、被覆部７Ａがスティックによって斜めあるいは横方向から打撃されたとしても打撃力の分散が少なく、スイッチ押圧部１３が効果的に弾性変形してスイッチ５を押圧する。したがって、スイッチ５を正確に動作させることができる。また、スイッチ押圧部１３は径方向の両側に溝１４，１４を形成することにより突状体に形成されているので、弾性変形し易くスイッチ５をより一層確実に動作させる。
【００１３】
なお、上記した実施の形態においては、電子シンバルに適用した例を示したが、電子ドラムにも適用することができる。
【００１４】
【発明の効果】
以上説明したように本発明に係る電子打楽器は、楽器本体と、軟質材からなり前記楽器本体の被打撃部上面を覆うパッドと、前記楽器本体の振動を電気信号に変換するセンサと、前記楽器本体と前記パッドとの間に介在され演奏音を切り替えるスイッチとを備えた電子打楽器において、前記パッドの外周部は前記スイッチを覆う被覆部を形成し、この被覆部は上面が上方に凸となる曲面に形成され、前記被覆部の下面側に前記スイッチを押圧する押圧面を形成し、この押圧面はスイッチに向かって凸曲面に形成され前記被覆部の斜めや横方向からの打撃によって弾性変形するようにしたので、スティックによる打撃方向が斜めや横方向からであってもスイッチ押圧部が打撃力を分散させることなく弾性変形するためスイッチを動作させるに十分なストロークを確保することができる。したがって、スティック操作にスイッチが確実に動作する。
【００１５】
また、本発明は、押圧面の両側に形成された溝を備えているので、スイッチ押圧部の弾性変形を容易にしてスイッチをより一層確実に動作させることができる。
【図面の簡単な説明】
【図１】  本発明を電子シンバルに適用した一実施の形態を示す要部の断面図である。
【図２】  電子シンバルの従来例を示す平面図である。
【図３】  要部の拡大断面図である。
【図４】  スイッチの断面図である。
【符号の説明】
１…電子シンバル、２…楽器本体、３…膜、４…センサ、５…スイッチ、６…振動板、７…パッド、７Ａ…被覆部、１３…スイッチ押圧部、１３ａ…スイッチ押圧面、１４…溝。
【図１】
0003695037.tif 000002
【図２】
0003695037.tif 000003
【図３】
0003695037.tif 000004
【図４】
0003695037.tif 000005